(57)【特許請求の範囲】
【請求項１】
視認側に指針回動領域（ＡＰ）を形成する板部（４２）と、
前記指針回動領域において、回転軸（３４）の周りに回動する指針（３０）と、
前記指針回動領域の外周側において、周方向に沿って延び、視認側に突出する外周突出壁（５０）とを備え、
前記外周突出壁は、
突出高さ（ＨＲ）が最大となる箇所において前記指針よりも視認側に突出すると共に、
前記突出高さが前記周方向に沿って漸次変化する稜線部（５２）と、
前記稜線部と前記板部との間を連続的に接続することで傾斜すると共に、前記指針に指示される指標（６０）が前記稜線部側の縁部（５４ａ）との重なり及び前記板部側の縁部（５４ｂ）との重なりを含んで形成される傾斜部（５４）とを有し、
前記指標は、前記板部側から前記稜線部側に向かって輝度が漸次高くなるグラデーション状に発光することを特徴とする車両用表示装置。
【請求項２】
前記稜線部は、前記突出高さに応じたグラデーション状に発光することを特徴とする請求項１に記載の車両用表示装置。
【請求項３】
前記指標は、前記傾斜部の表面（５４ｃ）から視認側に突出し、径方向に沿って延びる凸目盛を含むことを特徴とする請求項１又は２に記載の車両用表示装置。
【請求項４】
前記指標は、発光し、
前記指標における輝度は、前記傾斜部の表面における輝度よりも高いことを特徴とする請求項１から３のいずれか１項に記載の車両用表示装置。
【請求項５】
前記指針回動領域と隣接する画像表示領域（ＡＩ）において、画像を表示する画像表示パネル（２０）を備え、
前記外周突出壁は、前記画像表示領域側が欠ける部分環状に形成されることを特徴とする請求項１から４のいずれか１項に記載の車両用表示装置。
【発明の詳細な説明】
【技術分野】
【０００１】
本発明は、車両用表示装置に関する。
【背景技術】
【０００２】
従来、車両に搭載される車両用表示装置が知られている。例えば、特許文献１に開示の車両用表示装置は、視認側に指針回動領域を形成する板部と、指針回動領域において、回転軸周りに回動する指針と、指針回動領域の外周側において、周方向に沿って延び、視認側に突出する外周突出壁とを備えている。
【０００３】
ここで、外周突出部の稜線部は、指針よりも視認側に突出している。これにより、立体感が強調されるとしている。
【０００４】
また、稜線部と板部との間には、傾斜の大きい内周縦壁と、内周縦壁に対して傾斜が小さく、かつ、指針に指示される指標を形成する目盛用立体部が設けられている。
【先行技術文献】
【特許文献】
【０００５】
【特許文献１】特開２００６−２９２４８５号公報
【発明の概要】
【発明が解決しようとする課題】
【０００６】
しかしながら、特許文献１の稜線部は、周方向において一定の突出高さであるため、この点において立体感が十分とはいえなかった。
【０００７】
さらに、内周縦壁に対して傾斜が小さい目盛用立体部に指標が形成され、傾斜が大きい内周縦壁には指標が形成されていないため、立体感は十分とはいえなかった。
【０００８】
本発明は、以上説明した問題に鑑みてなされたものであって、その目的は、立体感の高い見栄えを実現する車両用表示装置を提供することにある。
【課題を解決するための手段】
【０００９】
本発明の車両用表示装置は、視認側に指針回動領域（ＡＰ）を形成する板部（４２）と、
指針回動領域において、回転軸（３４）の周りに回動する指針（３０）と、
指針回動領域の外周側において、周方向に沿って延び、視認側に突出する外周突出壁（５０）とを備え、
外周突出壁は、
突出高さ（ＨＲ）が最大となる箇所において指針よりも視認側に突出すると共に、突出高さが周方向に沿って漸次変化する稜線部（５２）と、
稜線部と板部との間を連続的に接続することで傾斜すると共に、指針に指示される指標（６０）が稜線部側の縁部（５４ａ）との重なり及び板部側の縁部（５４ｂ）との重なりを含んで形成される傾斜部（５４）とを有し、
指標は、板部側から稜線部側に向かって輝度が漸次高くなるグラデーション状に発光することを特徴とする。
【００１０】
このような発明によると、板部が形成する指針回動領域の外周側において、周方向に沿って延び、視認側に突出する外周突出壁は、稜線部と傾斜部とを有する。ここで、稜線部は、突出高さが最大となる箇所において指針よりも視認側に突出すると共に、突出高さが周方向に沿って漸次変化しているので、装置の平坦な印象が抑制され、立体感が得られる。
【００１１】
さらに、指針が指示する指標を形成している傾斜部は、稜線部と板部との間を連続的に接続しているので、径方向にも周方向にも傾く立体的な傾斜部となっている。このような傾斜部において、指標は、稜線部側縁部との重なり及び板部側縁部との重なりを含んで形成されているので、指針に対する指標の前後感が強調され、立体感が得られる。以上により、立体感の高い見栄えを実現する車両用表示装置を提供することができる。
【００１２】
なお、括弧内の符号は、記載内容の理解を容易にすべく、後述する実施形態において対応する構成を例示するものに留まり、発明の内容を限定することを意図したものではない。
【図面の簡単な説明】
【００１３】
【図１】一実施形態における車両用表示装置の正面図である。
【図２】図１のII−II線断面図である。
【図３】変形例２における外周突出壁を示す模式断面図である。
【図４】変形例８における図１に対応する図である。
【発明を実施するための形態】
【００１４】
以下、本発明の一実施形態を図面に基づいて説明する。
【００１５】
本発明の一実施形態における車両用表示装置１００は、車両に搭載され、視認者が着座する座席と対向するインストルメントパネルに設置されている。車両用表示装置１００は、図１に示すように、指針３０が指標としての目盛６０を指示することによるアナログ表示と、画像表示パネル２０によるデジタル表示とを組み合わせたコンビネーションメータを構成しており、視認側へ向けて表示を行なう。これにより、車両用表示装置１００に対して視認側に位置する視認者は、表示される情報を知覚することができる。
【００１６】
表示される情報としては、例えば車両の速度、エンジン回転数、燃料残量、エンジン冷却水の水温、あるいは電動モータの電流値等の車両の状態量、若しくは、例えば警報、道路情報、視界補助情報、電子メール等の各種車両情報が挙げられる。なお、本実施形態において、視認側から見て左側の指針３０は、目盛６０の指示により車両の速度を表示し、視認側から見て右側の指針３０は、目盛６０の指示によりエンジン回転数を表示する。また、画像表示パネル２０は、その他の車両の状態量及び各種車両情報を表示する。
【００１７】
このような車両用表示装置１００は、図２にも示すように、ケース部１０、基板１５、制御回路１７、画像表示パネル２０、指針３０、板部４２、及び外周突出壁５０を備えている。
【００１８】
ケース部１０は、背面ケース１１、見返し板１２、及び透明板１３を有している。背面ケース１１は、例えば遮光性を有する合成樹脂により形成され、基板１５、制御回路１７、ステッピングモータ３２等を背面側から覆い、基板１５、導光板７２等を保持している。見返し板１２は、例えば遮光性を有する合成樹脂により形成され、装置１００の外周輪郭に沿って視認側に開口を有する筒状に形成されている。透明板１３は、例えばアクリル樹脂等の透光性樹脂により、見返し板１２の開口を塞ぐ板状に形成されることで、板部４２及び外周突出壁５０等を視認側から覆っている。
【００１９】
基板１５は、背面ケース１１と締結されること等により背面ケース１１よりも視認側に配置され、例えばガラスエポキシ樹脂等の合成樹脂により平板状に形成されている。基板１５は、制御回路１７を実装すると共に、光源７０、ステッピングモータ３２、及び画像表示パネル２０等を保持している。
【００２０】
制御回路１７は、ＣＰＵ及びメモリ等からなる電子回路であり、基板１５上に実装されている。ＣＰＵは、メモリに記憶されているコンピュータプログラムを実行することで、各種処理を実施可能となっている。
【００２１】
画像表示パネル２０は、画像を表示するパネル状の表示素子であり、装置１００の略中央に配置されている。本実施形態では、画像表示パネル２０として、薄膜トランジスタ（Thin Film Transistor、ＴＦＴ）を用いた液晶パネルであって、２次元方向に配列された複数の液晶画素から形成されるアクティブマトリクス型の液晶パネルが採用されている。
【００２２】
画像表示パネル２０は、視認側において表示部２２が露出し、背面側を遮光性カバー２４によって覆われている。電気的に接続された制御回路１７からの制御信号により、遮光性カバー２４内のバックライトから各液晶画素に入射する光の透過率が液晶画素毎に制御されて、当該光が表示部２２を透過する。これにより画像表示パネル２０は、画像を視認側へ向けて表示可能となっている。
【００２３】
指針３０は、画像表示パネル２０を挟んで一対配置されており、それぞれ針状に形成されている。各指針３０は、それぞれ、制御回路１７により制御されるステッピングモータ３２の駆動により、導光板７２及び板部４２を貫通して設けられる回転軸３４の周りに回動するようになっている。
【００２４】
板部４２及び外周突出壁５０は、圧空成形により、一体的に形成されることで表示板４０（一般的には文字板とも呼ばれる）を構成している。このような板部４２及び外周突出壁５０は、例えば合成樹脂からなる透光性の基材の視認側の表面に、半透光性及び遮光性の印刷が部分的に施されて形成されている。なお、印刷に代えて、塗装が施されていてもよい。
【００２５】
板部４２は、画像表示パネル２０より視認側かつ各指針３０より背面側に配置され、平板状に形成されている。板部４２は、当該板部４２のうち画像表示パネル２０と重なる箇所において、透光性の基材が露出することにより、画像表示パネル２０の画像が視認側へ向けて表示可能となっている画像表示領域ＡＩを形成している。また、板部４２は、当該板部４２のうち各指針３０と重なる箇所において、視認側に各指針３０がそれぞれ回動可能な一対の指針回動領域ＡＰを、部分円状に形成している。画像表示領域ＡＩは、一対の指針回動領域ＡＰに挟まれた配置となっており、各指針回動領域ＡＰと隣接している。
【００２６】
外周突出壁５０は、各指針３０の指針回動領域ＡＰに対応して一対設けられている。各外周突出壁５０は、対応する回転軸３４を基準とした指針回動領域ＡＰの外周側において、周方向に沿って延び、板部４２より視認側に突出している。より詳細に、各外周突出壁５０は、画像表示領域ＡＩ側が例えば１８０度未満欠ける部分円環状に形成されている。ここで、各外周突出壁５０は、稜線部５２、傾斜部５４、及び外周部５６を有している。以下では、一方の外周突出壁５０について詳細に説明するが、他方の外周突出壁５０についても同様である。また、以下において周方向及び径方向とは、対応する回転軸３４を基準とするものとする。
【００２７】
稜線部５２は、径方向において板部４２からの高さが最大となる箇所が周方向に沿って連なることにより形成されている。稜線部５２の突出高さＨＲは、周方向に沿って漸次変化している。具体的に、稜線部５２の突出高さＨＲは、画像表示領域ＡＩと隣接する両端部５０ａにおいて最小に設定されており、本実施形態では板部４２と同じ高さとなっている。また、稜線部５２の突出高さＨＲは、両端部５０ａから周方向に遠ざかるに従って漸次高くなり、画像表示領域ＡＩから最も遠ざかる箇所において最大に設定されている。この突出高さＨＲが最大となる箇所において、稜線部５２は、指針３０よりも視認側に突出している。
【００２８】
また、稜線部５２の幅ＷＲは、周方向に沿って漸次変化している。具体的に、稜線部５２の幅ＷＲは、両端部５０ａにおいて最小に設定されている。また、稜線部５２の幅ＷＲは、両端部５０ａから周方向に遠ざかるに従って漸次高くなり、画像表示領域ＡＩから最も遠ざかる箇所において最大に設定されている。このように、稜線部５２の幅ＷＲは、突出高さＨＲに応じて設定されている。
【００２９】
傾斜部５４は、稜線部５２よりも内周側において、稜線部５２と板部４２との間を径方向に補間するように、当該稜線部５２と板部４２との間を連続的に接続している。これにより、傾斜部５４は、径方向に傾斜しつつ、周方向に漸次変化する稜線部５２の突出高さＨＲにより周方向にも傾斜している。また傾斜部５４は、凹面状に形成されている。
【００３０】
これと共に、傾斜部５４には、指針３０に指示される指標が、稜線部５２側の縁部５４ａ（以下、稜線部側縁部５４ａ）との重なり及び板部４２側の縁部５４ｂ（以下、板部側縁部５４ｂ）との重なりを含んで形成されている。
【００３１】
具体的に、指標を構成するものとして、複数の目盛６０が周方向に配列形成されている。各目盛６０は、径方向に沿って延びて形成されており、稜線部側縁部５４ａとの重なり及び板部側縁部５４ｂとの重なりを有している。特に本実施形態では、各目盛６０は、板部側縁部５４ｂを越えて板部４２まで達して形成されている。また、各目盛６０は、上述の圧空成形によって、表示板４０の厚さ程度、傾斜部５４の表面５４ｃから視認側に突出する凸目盛となっている。なお、図１においては一部の目盛６０について符号が付され、図２においては断面に係らない目盛６０の図示が省略されている。
【００３２】
上述の形状によって、稜線部５２の突出高さＨＲが最大となる箇所における目盛６０は、板部側縁部５４ｂにおいて指針３０の先端３０ａよりも背面側となり、稜線部側縁部５４ａにおいて指針３０の先端３０ａよりも視認側となる。また、凹面状の傾斜部５４によって、稜線部５２の突出高さＨＲが確保されつつも、指針３０の先端３０ａと目盛６０とが近接可能となる。
【００３３】
また、傾斜部５４には、半透光性の印刷が施されており、各目盛６０を除く表面５４ｃでは、各目盛６０部分よりも透過率の低い印刷が施されている。また、各目盛６０内では、板部側縁部５４ｂから稜線部側縁部５４ａに向かうに従って、すなわち傾斜部５４の高さに応じて、透過率が漸次高くなるような印刷が施されている。
【００３４】
外周部５６は、稜線部５２よりも外周側において、稜線部５２と板部４２との間を径方向に補間するように、稜線部５２と板部４２との間を連続的に接続している。外周部５６は、傾斜部５４よりも径方向の傾斜を大きく設定されていることで、視認側からの視認によって目立ち難くされている。
【００３５】
ここで、外周突出壁５０の照明について説明する。外周突出壁５０は、基板１５に保持された光源７０の光が、表示板４０よりも背面側に配置された導光板７２を介して導光されることで、照明される。ここで、本実施形態の光源７０は、制御回路１７を通して電源と接続されることで発光する発光ダイオード素子となっている。
【００３６】
導光板７２は、例えばアクリル樹脂等の透光性材料により形成されており、導光平板部７３及び導光突出部７４を一体的に有している。導光平板部７３は、表示板４０の板部４２の背面側に沿うようにして板状に形成されており、画像表示領域ＡＩに対応する箇所には開口７３ａを形成している。導光突出部７４は、外周突出壁５０の稜線部５２よりも背面側において、導光平板部７３から稜線部５２に向かって突出する部分円環状に形成されている。導光突出部７４の先端部７４ａ及び背面側の光源７０と対向する対向部７４ｂには、シボが形成されている。ここで、シボにおける表面粗さは、稜線部５２の突出高さＨＲが小さい箇所程、光が拡散し易いように粗く設定される。
【００３７】
このようなシボが形成された導光板７２により照明されて、外周突出壁５０は発光する。ここで、外周突出壁５０のうち稜線部５２は、上述のように表面粗さが設定されたシボにより、突出高さＨＲに応じたグラデーション状に発光する。具体的に、稜線部５２における輝度は、周方向に沿って漸次変化する。稜線部５２の輝度は、画像表示領域ＡＩと隣接する両端部５０ａにおいて最も低くなっている。また、稜線部５２の輝度は、両端部５０ａから周方向に遠ざかるに従って漸次高くなり、画像表示領域ＡＩから最も遠ざかる箇所において最も高くなっている。
【００３８】
外周突出壁５０のうち傾斜部５４では、上述のように施された印刷により、各目盛６０は発光し、その輝度が、各目盛６０を除く傾斜部５４の表面５４ｃにおける輝度よりも高くなっている。また、各目盛６０内では、板部側縁部５４ｂから稜線部側縁部５４ａに向かうに従って、すなわち傾斜部５４の高さに応じて、輝度が漸次高くなるグラデーション状に発光している。
【００３９】
（作用効果）
以上説明した本実施形態の作用効果を以下に説明する。
【００４０】
本実施形態によると、板部４２が形成する指針回動領域ＡＰの外周側において、周方向に沿って延び、視認側に突出する外周突出壁５０は、稜線部５２と傾斜部５４とを有する。ここで、稜線部５２は、突出高さＨＲが最大となる箇所において指針３０よりも視認側に突出すると共に、突出高さＨＲが周方向に沿って漸次変化しているので、装置１００の平坦な印象が抑制され、立体感が得られる。
【００４１】
さらに、指針３０が指示する指標を構成する各目盛６０を形成している傾斜部５４は、稜線部５２と板部４２との間を連続的に接続しているので、径方向にも周方向にも傾く立体的な傾斜部５４となっている。このような傾斜部５４において、指標は、稜線部側縁部５４ａとの重なり及び板部側縁部５４ｂとの重なりを含んで形成されているので、指針３０に対する指標の前後感が強調され、立体感が得られる。以上により、立体感の高い見栄えを実現する車両用表示装置１００を提供することができる。
【００４２】
また、本実施形態によると、稜線部５２は、突出高さＨＲに応じたグラデーション状に発光する。グラデーション状発光が突出高さＨＲに応じたものであるので、稜線部５２の周方向の変化が強調され、立体感が高まる。
【００４３】
また、本実施形態によると、傾斜部５４に形成される指標は、傾斜部５４の表面５４ｃから視認側に突出し、径方向に沿って延びる目盛６０としての凸目盛を含む。指針が指示する目盛６０として凸目盛の指標が径方向にも周方向にも傾く傾斜部５４の表面から突出しているので、外周突出壁５０の立体的な趣きが増し、立体感が高まる。
【００４４】
また、本実施形態によると、指標を構成する目盛６０における輝度は、傾斜部５４の表面５４ｃにおける輝度よりも高い。これによれば、指標と傾斜部５４の表面５４ｃとの明るさが対比されるので、立体感が高まる。
【００４５】
また、本実施形態によると、指標を構成する目盛６０は、板部４２側から稜線部５２側に向かって輝度が漸次高くなるグラデーション状に発光する。視認側に突出する稜線部５２側の輝度が高くなることで稜線部５２の突出が強調されると共に、稜線部５２と板部４２との間を連続的に接続する傾斜部５４の傾斜も強調されることとなるので、立体感が高まる。
【００４６】
また、本実施形態によると、画像表示領域ＡＩにおいて画像表示パネル２０を備え、外周突出壁５０は、指針回動領域ＡＰと隣接する画像表示領域ＡＩ側が欠ける部分環状に形成される。このような部分環状の外周突出壁５０により、画像表示パネル２０の存在を引き立たせつつ、立体感を演出することができる。
【００４７】
（他の実施形態）
以上、本発明の一実施形態について説明したが、本発明は、当該実施形態に限定して解釈されるものではなく、本発明の要旨を逸脱しない範囲内において種々の実施形態に適用することができる。
【００４８】
具体的に変形例１としては、突出高さＨＲに応じたグラデーション状に発光する稜線部５２を実現するために、シボにおける表面粗さ設定以外の形態を採用してもよい。この例として、稜線部５２において、突出高さＨＲに応じて、透過率が漸次高くなるように、半透光性の印刷が施されていてもよい。またこの例として、基板１５上の複数の光源７０について、配置又は発光強度を適宜設定して実現してもよい。
【００４９】
変形例２としては、図３に示すように、傾斜部５４と外周部５６との間に隙間が設けられ、導光突出部７４の先端部７４ａが当該隙間まで達することにより、外周突出壁５０に稜線部５２が形成されるものであってもよい。図３の例では、稜線部５２としての導光突出部７４の先端部７４ａがフレネルレンズ状に形成されることで、突出高さＨＲに応じたグラデーション状の発光が実現されている。
【００５０】
変形例３としては、稜線部５２は、突出高さＨＲに応じて色相が漸次変化する、グラデーション状に発光するものであってもよい。
【００５１】
変形例４としては、稜線部５２は、グラデーション状に発光せず、例えば輝度が当該稜線部５２内において一定であってもよい。
【００５２】
変形例５としては、指標としての目盛６０は、傾斜部の表面から視認側に突出していなくてもよい。
【００５３】
変形例６としては、指標としての各目盛６０の輝度は、傾斜部の表面における輝度以下であってもよい。
【００５４】
変形例７としては、指標としての目盛６０は、グラデーション状に発光せず、例えば輝度が当該目盛６０内において一定であってもよい。
【００５５】
変形例８としては、指標は、稜線部側縁部５４ａとの重なり及び板部側縁部５４ｂとの重なりを含んで形成されるものであれば、文字又は記号により構成されたもの、あるいは、２種類以上の目盛、文字、又は記号を組み合わせて構成されたものであってもよい。この例として図４に示すように、主目盛９６１は、稜線部側縁部５４ａとの重なり及び板部側縁部５４ｂとの重なりを有し、副目盛９６２は、板部側縁部５４ｂとの重なりを有している。そして、主目盛９６１及び副目盛９６２により構成された指標は、稜線部側縁部５４ａとの重なり及び板部側縁部５４ｂとの重なりを含んで形成されている。
【符号の説明】
【００５６】
１００  車両用表示装置、２０  画像表示パネル、３０  指針、３４  回転軸、４２  板部、５０  外周突出壁、５２  稜線部、５４  傾斜部、５４ａ  稜線部側縁部、５４ｂ  板部側縁部、５４ｃ  表面、６０  目盛（指標）、ＡＩ  画像表示領域、ＡＰ  指針回動領域、ＨＲ  突出高さ
【図１】
0006447374.tif 000002
【図２】
0006447374.tif 000003
【図３】
0006447374.tif 000004
【図４】
0006447374.tif 000005